(57)【要約】【課題】複数のコンデンサマイクロホンユニットを直列接続することで出力感度を向上させると共に、回路構成を簡素化させたコンデンサマイクロホンを提供すること。【解決手段】最終段を除く前段側のコンデンサマイクロホンユニットＵ１には、受動素子（パッシブエレメント）による負荷回路として、抵抗素子Ｒ１が接続されている。これにより、コンデンサマイクロホンユニットＵ１による音声信号が、前記負荷回路を構成する抵抗素子Ｒ１に生成される。また最終段におけるコンデンサマイクロホンユニットＵ２には、能動素子（アクティブエレメント）を用いたインピーダンス変換器が接続されることにより、前記各コンデンサマイクロホンユニットＵ１，Ｕ２による音声信号が、同相で加算されて最終段の前記能動素子を用いたインピーダンス変換器３より出力される。【選択図】図１
2015050626.tif 000002
【特許請求の範囲】
【請求項１】
固定極に対峙して振動板が配置された複数のコンデンサマイクロホンユニットが具備され、各コンデンサマイクロホンユニットが直列に接続されることで、前記各コンデンサマイクロホンユニットによる音声信号が、同相で加算されて出力されるコンデンサマイクロホンであって、
最終段を除く前段側のコンデンサマイクロホンユニットの少なくとも１つには、受動素子（パッシブエレメント）による負荷回路が接続されることで、当該コンデンサマイクロホンユニットによる音声信号を前記負荷回路に生成すると共に、最終段におけるコンデンサマイクロホンユニットには、能動素子（アクティブエレメント）を用いたインピーダンス変換器が接続され、前記各コンデンサマイクロホンユニットによる加算された音声信号が、最終段の前記能動素子を用いたインピーダンス変換器より出力されることを特徴とするコンデンサマイクロホン。
【請求項２】
前記受動素子による負荷回路に、抵抗素子もしくはダイオードが用いられていることを特徴とする請求項１に記載されたコンデンサマイクロホン。
【請求項３】
前記最終段のコンデンサマイクロホンユニットに接続されたインピーダンス変換器より出力される音声信号を、前記受動素子による負荷回路にフィードバックし、負荷回路の両端に同一の音声信号を与えるブートストラップ回路を構成したことを特徴とする請求項１または請求項２に記載されたコンデンサマイクロホン。
【請求項４】
前記受動素子による負荷回路には直流電圧源が接続され、当該直流電圧源によって前記負荷回路の前後の各コンデンサマイクロホンユニットにおける固定極もしくは振動板にそれぞれ成極電圧を加えるように構成したことを特徴とする請求項１または請求項２に記載されたコンデンサマイクロホン。
【発明の詳細な説明】
【技術分野】
【０００１】
この発明は、複数のコンデンサマイクロホンユニットを直列接続することで、出力感度を向上させたコンデンサマイクロホンに関し、特にマイクロホンユニット間に接続されるインピーダンス変換器に工夫を施すことで、回路構成を簡素化させたコンデンサマイクロホンに関する。
【背景技術】
【０００２】
コンデンサマイクロホンは、対向する振動板と固定極との間の静電容量の変化に基づいて音声信号が生成される。
この場合、固定極に対峙して振動板が配置されてなるコンデンサマイクロホンユニット（以下、単に「コンデンサユニット」とも言う。）は、その静電容量が数十ｐＦ前後であり、出力インピーダンスが極めて高いために、例えばＦＥＴ（電界効果トランジスタ）などによるインピーダンス変換器を用いて音声信号が取り出される。
【０００３】
前記したコンデンサマイクロホンとしての出力感度を向上させる手段については、従来から種々の提案がなされているが、複数のコンデンサユニットを用いてこれを直列に接続することで出力感度を向上させたコンデンサマイクロホンについて、本件出願人がすでに提案をしており、これは特許文献１に開示されている。
【先行技術文献】
【特許文献】
【０００４】
【特許文献１】特許第５２０１５９８号公報
【０００５】
図１０は、特許文献１に開示されたコンデンサマイクロホンの構成をブロック図で示したものである。この図１０に示す構成は、振動板が固定極に対峙してコンデンサユニットが形成され、第１と第２のコンデンサユニットＵ１，Ｕ２による音声信号がそれぞれ同位相で直列に加わるように構成されている。
【０００６】
すなわち、第１のコンデンサユニットＵ１における振動板１ａは接地され、振動板１ａに対峙する固定極２ａは第１のインピーダンス変換器３ａに接続されている。これによりインピーダンス変換器３ａによって、コンデンサユニットＵ１における振動板１ａと固定極２ａとの間の静電容量の変化に基づく音声信号が生成される。
前記インピーダンス変換器３ａは後で説明するとおり、例えばＦＥＴなどの能動素子（アクティブエレメント）を用いてソースフォロア回路を構成しており、したがってこのインピーダンス変換器３ａには、直流電源Ｖｃｃから動作電流が供給されるように構成されている。
【０００７】
第１のインピーダンス変換器３ａによって生成される第１のコンデンサユニットＵ１による音声信号は、第２のコンデンサユニットＵ２の基準電位点を駆動するように構成されている。すなわち図１０に示す例においては、第１のインピーダンス変換器３ａの出力は、第２のコンデンサユニットＵ２を構成する振動板１ｂに供給されている。
また振動板１ｂに対峙する固定極２ｂは第２のインピーダンス変換器３ｂに接続されて、このインピーダンス変換器３ｂによってコンデンサユニットＵ２における振動板１ｂと固定極２ｂとの間の静電容量の変化に基づく音声信号が生成される。
【０００８】
この場合、第２のコンデンサユニットＵ２は、第１のコンデンサユニットＵ１による音声信号が、その基準電位点（振動板１ｂ）に印加されるので、結果として第２のインピーダンス変換器３ｂの出力端子Ｏｕｔには、第１と第２のコンデンサユニットＵ１，Ｕ２による音声信号がそれぞれ同位相で直列に加わった状態で出力される。
なお、第２のインピーダンス変換器３ｂにおいても、前記した第１のインピーダンス変換器３ａと同様に、例えばＦＥＴを用いてソースフォロア回路が構成されている。
【０００９】
図１０に示したコンデンサマイクロホンの構成によると、第１と第２のコンデンサユニットＵ１，Ｕ２による音声信号が同相で加算されて信号出力となるので、コンデンサマイクロホンとしての出力感度を倍増させることができる。
【００１０】
図１１は、図１０に示した例に加えて、第３のコンデンサユニットＵ３を備えた例を示しており、第３のコンデンサユニットＵ３には、前記と同様の第３のインピーダンス変換器３ｃが備えられている。
この図１１に示す構成によれば、第１〜第３のコンデンサユニットＵ１〜Ｕ３による音声信号が同相で加算されて信号出力となるので、コンデンサマイクロホンとしての出力感度をさらに高めることができる。
【発明の概要】
【発明が解決しようとする課題】
【００１１】
ところで、特許文献１に開示されたコンデンサマイクロホンにおいては、前記したとおり直列接続される複数の各コンデンサユニットに対応して、それぞれにインピーダンス変換器を備えることになる。
このインピーダンス変換器には、ＦＥＴなどの能動素子が用いられており、したがってそれぞれに能動素子を駆動する回路構成を必要とし、さらにそれぞれの能動素子に対して動作電源（直流電源Ｖｃｃ）を供給する構成が必要である。したがって、コンデンサマイクロホン全体の回路構成が繁雑になり、コストの高騰は免れないものとなる。
【００１２】
この発明は、前記したように各コンデンサユニット毎に能動素子によるインピーダンス変換器を備える従来のコンデンサマイクロホンにおける問題点に着目してなされたものであり、最終段のコンデンサユニットに接続されるインピーダンス変換器を除いて、前段のコンデンサユニットには受動素子（パッシブエレメント）による負荷回路を接続し、この負荷回路において電圧信号（音声信号）を得るようにした点に特徴を有する。
【００１３】
すなわち、前記した技術的な観点に基づいて、負荷回路に生成された音声信号を後段に伝達するように構成することで、出力感度を向上させることができると共に、全体の回路構成を簡素化させたコンデンサマイクロホンを提供することを課題とするものである。
【課題を解決するための手段】
【００１４】
前記した課題を解決するためになされたこの発明に係るコンデンサマイクロホンは、固定極に対峙して振動板が配置された複数のコンデンサマイクロホンユニットが具備され、各コンデンサマイクロホンユニットが直列に接続されることで、前記各コンデンサマイクロホンユニットによる音声信号が、同相で加算されて出力されるコンデンサマイクロホンであって、最終段を除く前段側のコンデンサマイクロホンユニットの少なくとも１つには、受動素子（パッシブエレメント）による負荷回路が接続されることで、当該コンデンサマイクロホンユニットによる音声信号を前記負荷回路に生成すると共に、最終段におけるコンデンサマイクロホンユニットには、能動素子（アクティブエレメント）を用いたインピーダンス変換器が接続され、前記各コンデンサマイクロホンユニットによる加算された音声信号が、最終段の前記能動素子を用いたインピーダンス変換器より出力されることを特徴とする。
【００１５】
この場合、好ましくは前記受動素子による負荷回路には、抵抗素子もしくはダイオードが用いられる。
加えて好ましい形態においては、最終段のコンデンサマイクロホンユニットに接続されたインピーダンス変換器より出力される音声信号が、前記受動素子による負荷回路にフィードバックされ、負荷回路の両端に同一の音声信号を与えるブートストラップ回路が構成される。
【００１６】
また、前記したコンデンサマイクロホンユニットにエレクトレットを用いないモデルにおいては、前記受動素子による負荷回路に直流電圧源が接続され、当該直流電圧源によって前記負荷回路の前後の各コンデンサマイクロホンユニットにおける固定極もしくは振動板にそれぞれ成極電圧を加えるように構成される。
【発明の効果】
【００１７】
この発明に係る前記したコンデンサマイクロホンによると、最終段のコンデンサユニットに接続されるインピーダンス変換器を除いて、前段のコンデンサユニットには受動素子による負荷回路が接続され、この負荷回路において前段のコンデンサユニットによる音声信号を生成するようになされる。
前記負荷回路において生成された音声信号は、後段のコンデンサユニットの基準電位点である例えば振動板に供給され、後段のコンデンサユニットにおいて生成される音声信号に加算されるように作用する。
【００１８】
したがって、直列接続された各コンデンサマイクロホンユニットによる加算された音声信号は、最終段の能動素子を用いたインピーダンス変換器より出力することができる。
これにより、各コンデンサユニット毎に能動素子によるインピーダンス変換器を備える従来のコンデンサマイクロホンに比較して、全体の回路構成を簡素化させたコンデンサマイクロホンを提供することができる。
【図面の簡単な説明】
【００１９】
【図１】この発明に係るコンデンサマイクロホンの第１の実施の形態を示したブロック図である。
【図２】図１に示す第１の実施の形態の具体例を示した回路結線図である。
【図３】この発明に係るコンデンサマイクロホンの第２の実施の形態を示したブロック図である。
【図４】同じく第３の実施の形態を示したブロック図である。
【図５】同じく第４の実施の形態を示したブロック図である。
【図６】同じく第５の実施の形態を示したブロック図である。
【図７】図６に示す第５の実施の形態の具体例を示した回路結線図である。
【図８】この発明に係るコンデンサマイクロホンの第６の実施の形態を示したブロック図である。
【図９】同じく第７の実施の形態を示したブロック図である。
【図１０】従来のコンデンサマイクロホンの一例を示したブロック図である。
【図１１】従来のコンデンサマイクロホンの他の例を示したブロック図である。
【発明を実施するための形態】
【００２０】
以下、この発明に係るコンデンサマイクロホンについて、図に示す実施の形態に基づいて説明する。なお、以下に説明する各実施の形態においては、すでに説明した図１０および図１１に示す各部と同一の機能を果たす部分を同一の符号で示しており、したがってその詳細な説明は適宜省略する。
【００２１】
先ず図１は、第１の実施の形態をブロック図により示したものであり、この図１は、２つのコンデンサユニットＵ１，Ｕ２を用いた例を示している。
第１のコンデンサユニットＵ１の固定極２ａには、受動素子による負荷回路が接続されており、この例においては負荷回路として比較的高抵抗の抵抗素子Ｒ１が、固定極２ａと接地点との間に接続されている。
【００２２】
この抵抗素子Ｒ１を第１のコンデンサユニットＵ１に負荷回路として接続することで、抵抗素子Ｒ１における固定極２ａの接続端部に、コンデンサユニットＵ１の静電容量の変化に対応した電圧信号が取り出せることが見い出されている。
すなわち、一端部が接地点に接続された抵抗素子Ｒ１の他端部に、コンデンサユニットＵ１の静電容量の変化に基づく電圧信号（音声信号）を生成することができ、この電圧信号を第２のコンデンサユニットＵ２を構成する振動板１ｂに供給することができる。
【００２３】
これは、抵抗素子Ｒ１に生成された第１のコンデンサユニットＵ１による電圧信号（音声信号）が、等価的に抵抗素子Ｒ１を出力インピーダンスとした状態で、第２のコンデンサユニットＵ２に供給されるものと考えられる。これにより第１のコンデンサユニットＵ１による音声信号を、第２のコンデンサユニットＵ２を構成する振動板１ｂに対して効果的に重畳させることができる。
【００２４】
換言すれば、図１に示す構成において前記抵抗素子Ｒ１を削除した場合には、コンデンサユニットＵ１の静電容量の変化に基づく電圧信号を生成することができず、また抵抗素子Ｒ１による等価的な出力インピーダンスとしての機能も生ずることがなく、コンデンサユニットＵ１による音声信号を、第２のコンデンサユニットＵ２に伝達することは不可能となる。
【００２５】
この実施の形態における最終段を構成する第２のコンデンサユニットＵ２の固定極２ｂには、ＦＥＴを用いたインピーダンス変換器３が接続されており、したがってインピーダンス変換器３の出力端子Ｏｕｔには、第１と第２のコンデンサユニットＵ１，Ｕ２による音声信号がそれぞれ同位相で直列に加わった状態で出力される。
【００２６】
図２は、図１に示す第１の実施の形態の具体例を示した回路結線図であり、図２は特にインピーダンス変換器３の具体例を示している。
このインピーダンス変換器３には、符号Ｑ１１で示す能動素子として機能するｎチャンネル型ＦＥＴが搭載されており、このＦＥＴＱ１１のゲート電極には第２コンデンサユニットＵ２の固定極２ｂが接続されている。
そして、直流電源Ｖｃｃと接地点ＧＮＤとの間には電圧分割抵抗Ｒ１１，Ｒ１２が接続され、これらの接続点と前記ゲート電極との間にはバイアス抵抗Ｒ１３が接続され、前記ゲート電極に対して所定のバイアス電圧が供給されるように構成されている。
【００２７】
また前記ＦＥＴＱ１１のドレイン電極には直流電源Ｖｃｃが供給され、ＦＥＴＱ１１のソース電極と接地点ＧＮＤとの間には抵抗素子Ｒ１４が接続されて、ソース電極が出力端子Ｏｕｔになされている。すなわち図２に示すインピーダンス変換器３は、周知のソースフロアー回路を構成している。
なお、図２に示すインピーダンス変換器３の構成は、以下に説明する各実施の形態におけるインピーダンス変換器３としてそれぞれ採用することができる。
【００２８】
図３は、第２の実施の形態をブロック図で示したものであり、これは３つのコンデンサユニットＵ１〜Ｕ３を用いた例を示している。
すなわち、第１と第２のコンデンサユニットＵ１，Ｕ２には、それぞれ抵抗素子Ｒ１およびＲ２が負荷回路として接続されており、最終段を構成する第３のコンデンサユニットＵ３の固定極２ｃに、能動素子としてＦＥＴを用いたインピーダンス変換器３が接続されている。
【００２９】
この構成による第１と第２のコンデンサユニットＵ１，Ｕ２にそれぞれ負荷回路として接続された抵抗素子Ｒ１およびＲ２は、それぞれ図１に基づいて説明した抵抗素子Ｒ１と同様の機能を果たす。したがって図３に示す構成によると、図１および図２に示した例に比較して、コンデンサマイクロホンとしての出力感度をさらに高めることができる。
【００３０】
なお、図３に示した実施の形態においては、第１と第２のコンデンサユニットＵ１，Ｕ２に、それぞれ負荷回路として抵抗素子Ｒ１およびＲ２が接続されているが、そのうちのいずれか一方のコンデンサユニットの負荷回路としての抵抗素子に代えて、最終段と同様のＦＥＴを用いたインピーダンス変換器３を用いても同様の作用効果を得ることができる。すなわち、このような構成を採用しても、図１１に示した従来の構成に比較して回路構成を簡素化させることに寄与できる。
【００３１】
図４は、第３の実施の形態をブロック図で示したものである。すなわち図４は、２つのコンデンサユニットＵ１，Ｕ２を用いた例を示しており、第１のコンデンサユニットＵ１の固定極２ａには、ダイオードＤ１による負荷回路が接続されている。そして最終段を構成する第２のコンデンサユニットＵ２の固定極２ｃに、能動素子としてＦＥＴを用いたインピーダンス変換器３が接続されている。
【００３２】
図４に示すように、負荷回路としてダイオードＤ１を用いた場合においても、図１に示した抵抗素子Ｒ１を負荷回路とした場合と同様に、コンデンサユニットＵ１における静電容量の変化を、ダイオードＤ１によって音声信号として取り出すことが可能である。
ただし、図４に示したように１つのダイオードＤ１による負荷回路においては、ダイオードＤ１にその順方向降下電圧Ｖｆ以上の電圧が加わった場合に、ダイオードＤ１がオン状態となるために歪み特性が悪化する。
【００３３】
そこで、複数のダイオードを順方向に直列接続して負荷回路を構成することで、もしくは複数のダイオードを順方向に直列接続したものを逆並列接続して負荷回路を構成することで、歪み特性の悪化を改善することができる。
【００３４】
図５は、第４の実施の形態をブロック図で示したものであり、これは３つのコンデンサユニットＵ１〜Ｕ３を用いた例を示している。そして、第１と第２のコンデンサユニットＵ１，Ｕ２には、それぞれダイオードＤ１およびＤ２が負荷回路としてそれぞれ接続されており、最終段を構成する第３のコンデンサユニットＵ３の固定極２ｃに、能動素子としてＦＥＴを用いたインピーダンス変換器３が接続されている。
この図５に示す例によると、すでに説明した図３に示す例と同様の作用効果を得ることができる。
【００３５】
だだし、ダイオードの順方向降下電圧Ｖｆによる歪み特性の悪化を回避するには、すでに説明したとおり、複数のダイオードを順方向に直列接続して負荷回路を構成すること、もしくは複数のダイオードを順方向に直列接続したものを逆並列接続することで負荷回路を構成するなどの手段が採用し得る。
【００３６】
この図５に示す例においても、第１と第２のコンデンサユニットＵ１，Ｕ２のうちのいずれか一方のコンデンサユニットのダイオードによる負荷回路に代えて、抵抗素子による負荷回路を構成しても良く、また最終段と同様のＦＥＴを用いたインピーダンス変換器３を用いることもできる。
【００３７】
図６は、第５の実施の形態をブロック図で示したものであり、これは２つのコンデンサユニットＵ１，Ｕ２を用いた例を示している。加えて最終段を構成するインピーダンス変換器３の出力をフィードバックして、ダイオードによる負荷回路にブートストラップ回路を付加した構成にされている。
すなわち、図６におけるダイオードＤ１と抵抗素子Ｒ１４が、第１のコンデンサユニットＵ１の負荷回路となる。加えてインピーダンス変換器３の出力がダイオードＤ１と抵抗素子Ｒ１４の接続点にフィードバックされており、これによりダイオードＤ１のアノードおよびカソード端子間には、常に同一レベルの音声信号が加わることになり、ブートストラップ回路が構成されている。
【００３８】
前記したブートストラップ回路を用いた構成によると、ダイオードＤ１は実質的に無限大に近いインピーダンスを有する素子として機能することになり、ダイオードＤ１による前記した歪み特性を無視することができる。
【００３９】
図７は、図６に示す実施の形態の具体例を示した回路結線図である。この図７に示すインピーダンス変換器３は、すでに説明した図２に示すインピーダンス変換器３の構成と基本的に同一である。
ただし、ＦＥＴＱ１１のソース端子（出力端子Ｏｕｔ）と、電圧分割抵抗Ｒ１１，Ｒ１２の接続点との間には、カップリングコンデンサＣ１１が接続されている。また電圧分割抵抗Ｒ１１，Ｒ１２の接続点と、ＦＥＴＱ１１のゲート電極との間にはダイオードＤ１１が接続され、ダイオードＤ１１を介してＦＥＴＱ１１のゲート電極に対して、所定のバイアス電圧が供給されるように構成されている。
【００４０】
また、前記したカップリングコンデンサＣ１１には、直流カットコンデンサＣ１が接続されており、前記カップリングコンデンサＣ１１と、直流カットコンデンサＣ１を介してインピーダンス変換器３の出力信号が、負荷回路を構成する前記ダイオードＤ１のアノード端子に供給されるように構成されている。
【００４１】
前記した構成により、第１のコンデンサユニットＵ１の負荷回路としてのダイオードＤ１に対して、そのアノード端子にインピーダンス変換器３の出力が供給され、ブートストラップ回路が形成されている。
【００４２】
図８は、第６の実施の形態をブロック図で示したものであり、これは３つのコンデンサユニットＵ１〜Ｕ３を用いた例を示している。そして、第１と第２のコンデンサユニットＵ１，Ｕ２には、それぞれダイオードＤ１およびＤ２が負荷としてそれぞれ接続され、最終段を構成するインピーダンス変換器３の出力を利用して、ダイオードによる負荷回路にブートストラップ回路を付加した構成にされている。
すなわちダイオードＤ１と抵抗素子Ｒ１４が、第１のコンデンサユニットＵ１の負荷回路となり、ダイオードＤ２と抵抗素子Ｒ１４が、第２のコンデンサユニットＵ２の負荷回路になされる。
【００４３】
加えて最終段のインピーダンス変換器３の出力が、ダイオードＤ１およびＤ２のアノード端子にフィードバックされており、これによりダイオードＤ１，Ｄ２のアノードおよびカソード端子間には、常に同一レベルの音声信号が印加されるブートストラップ回路が構成されている。
【００４４】
以上説明した第１〜第６の実施の形態は、各コンデンサユニットＵ１〜Ｕ３にエレクトレットを用いた場合を前提にしている。これに対して図９に示す第７の実施の形態は、成極電源を備えたコンデンサマイクロホンの例を示している。
この図９に示す第７の実施の形態は、３つのコンデンサユニットＵ１〜Ｕ３を用いた例を示しており、その基本形態は図３に示した構成と同様である。
【００４５】
この図９に示す例においては、最終段を除く前段側のコンデンサユニットの負荷回路には直流電圧源が接続され、この直流電圧源によって前記負荷回路の前後の各コンデンサユニットに対して成極電圧を加えるように構成されている。
すなわち、第１のコンデンサユニットＵ１における振動板１ａと接地点との間には、直流電圧源Ｅ１が接続されている。また第１のコンデンサユニットＵ１に接続された負荷回路としての抵抗素子Ｒ１と接地点との間には、直流電圧源Ｅ２が接続されている。さらに第２のコンデンサユニットＵ２に接続された負荷回路としての抵抗素子Ｒ２と接地点との間には、直流電圧源Ｅ３が接続されている。
【００４６】
前記した構成における各直流電圧源の電圧値は、例えばＥ１＞Ｅ２＞Ｅ３となるように設定されている。
例えば、Ｅ１＝１５０Ｖ，Ｅ２＝１００Ｖ，Ｅ３＝５０Ｖにそれぞれ設定された場合には、第１のコンデンサユニットＵ１における振動板１ａと固定極２ａとの電位差、第２のコンデンサユニットＵ２における振動板１ｂと固定極２ｂとの電位差、および第３のコンデンサユニットＵ３における振動板１ｃと固定極２ｃとの電位差はそれぞれ５０Ｖとなり、この電位差がそれぞれのコンデンサユニットＵ１〜Ｕ３に成極電圧として供給されることになる。
【００４７】
したがって、図９に示す実施の形態によると、最終段におけるコンデンサユニットを除く前段の各コンデンサニットに接続される負荷回路に直流電圧源を挿入することにより、各コンデンサユニットに対して合理的に成極電圧を与えることができる。
【００４８】
以上の説明で明らかなとおり、この発明に係るコンデンサマイクロホンによると、各コンデンサユニット毎に例えばＦＥＴなどの能動素子によるインピーダンス変換器を備える従来のコンデンサマイクロホンに比較して、全体の回路構成を簡素化させたコンデンサマイクロホンを提供することができるなど、前記した発明の効果の欄に記載したとおりの作用効果を得ることができる。
【符号の説明】
【００４９】
１ａ〜１ｃ    振動板
２ａ〜２ｃ    固定極
３            インピーダンス変換器
Ｄ１，Ｄ２    ダイオード（負荷回路）
Ｒ１，Ｒ２    抵抗素子（負荷回路）
Ｕ１〜Ｕ３    コンデンサユニット
【図１】
2015050626.tif 000003
【図２】
2015050626.tif 000004
【図３】
2015050626.tif 000005
【図４】
2015050626.tif 000006
【図５】
2015050626.tif 000007
【図６】
2015050626.tif 000008
【図７】
2015050626.tif 000009
【図８】
2015050626.tif 000010
【図９】
2015050626.tif 000011
【図１０】
2015050626.tif 000012
【図１１】
2015050626.tif 000013
【手続補正書】
【提出日】平成26年5月12日(2014.5.12)
【手続補正１】
【補正対象書類名】明細書
【補正対象項目名】００２４
【補正方法】削除
【補正の内容】